(57)【要約】【課題】  ホテルや旅館等で、部屋のドアにオートロック機能を採用すると安全性が高まるが、外出時に室内にルームキーを置き忘れた宿泊客が従業員に助けを求めるケースがあり、ホテルや旅館は対応に苦慮している。【解決手段】  部屋の室外側に設置された壁面リーダ３が、入室が許可された部屋を示す部屋情報を記憶する無線ＩＣタグ７が記憶している部屋情報を読み出す。ドア状態検出部９が、ドアが開状態であるか、または閉状態であるかを検出する。制御部９は、ドア状態検出部９の検出結果と、ドア側リーダ２が読み出した部屋情報とに応じて、部屋の鍵を開錠するのか、または施錠するのかを判断し、キー操作部１０に部屋の鍵を開錠または施錠させる。【選択図】  図１
2006283296.tif 000002
【特許請求の範囲】
【請求項１】
部屋の入退室の管理を行う入退室管理システムにおいて、
部屋の出入り口近傍の外壁面に設置され、入室が許可された部屋を示す部屋情報を記憶する部屋情報記憶手段が記憶している部屋情報を読み出す第１の情報読出し手段と、
前記ドアが開状態であるか、または閉状態であるかを検出するドア状態検出手段と、
前記ドア状態検出手段の検出結果と、前記第１の情報読出し手段が読み出した部屋情報とに応じて、前記部屋の鍵を開錠するのか、または施錠するのかを判断する判断手段と、
前記判断手段の判断に従って、前記部屋の鍵を開錠、または施錠する鍵操作手段とを備え、
前記判断手段は、前記第１の情報読出し手段が読み出した部屋情報が示す部屋と、前記第１の情報読出し手段が設置されている部屋とが合致すると、部屋の鍵を開錠すると判断し、その後、前記ドア状態検出手段が閉状態であることを検出すると、部屋の鍵を施錠すると判断する
ことを特徴とする入退室管理システム。
【請求項２】
判断手段は、鍵操作手段が部屋の鍵を開錠してから、ドア状態検出手段が開状態であることを検出せずに所定の時間が経過すると、前記部屋の鍵を施錠すると判断する
請求項１記載の入退室管理システム。
【請求項３】
ドア状態検出手段が開状態であることを検出してから、閉状態であることを検出せずに所定の時間が経過すると、異常の発生を報知する報知手段を備えた
請求項１または請求項２記載の入退室管理システム。
【請求項４】
部屋の出入り口近傍の外壁面に設置され、部屋情報記憶手段が記憶している部屋情報を読み出す第２の情報読出し手段を備え、
判断手段は、ドア状態検出手段が、開状態であることを検出してから閉状態であることを検出し、前記第２の情報読出し手段が読み出した部屋情報が示す部屋と、前記第２の情報読出し手段が設置されている部屋とが合致すると、部屋の鍵を施錠すると判断する
請求項１から請求項３のうちいずれか１項記載の入退室管理システム。
【請求項５】
ドア状態検出手段が、開状態であることを検出してから閉状態であることを検出し、その後、第２の情報読出し手段が部屋情報を読み出さなかった場合、または前記第２の情報読出し手段が読み出した部屋情報が示す部屋と、前記第２の情報読出し手段が設置されている部屋とが合致しない場合に、前記第２の情報読出し手段が設置されている部屋の利用者に、部屋情報記憶手段の所持を確認するように通知する確認通知動作を実行する確認通知手段を備えた
請求項４記載の入退室管理システム。
【請求項６】
判断手段は、確認通知手段が確認通知動作を実行してから、ドア状態検出手段が開状態であることを検出せずに所定の時間が経過すると、部屋の鍵を施錠すると判断する
請求項５記載の入退室管理システム。
【請求項７】
判断手段は、確認通知手段が確認通知動作を実行し、ドア状態検出手段が開状態であることを検出してから閉状態であることを検出すると、部屋の鍵を施錠すると判断する
請求項５または請求項６記載の入退室管理システム。
【請求項８】
報知手段は、確認通知手段が確認通知動作を実行し、ドア状態検出手段が開状態であることを検出してから、閉状態であることを検出せずに所定の時間が経過すると、異常の発生を報知する
請求項５から請求項７のうちいずれか１項記載の入退室管理システム。
【請求項９】
第２の情報読出し手段は、部屋の入り口付近の部屋情報記憶手段が記憶している部屋情報を読み出す
請求項４から請求項８のうちいずれか１項記載の入退室管理システム。
【請求項１０】
第１の情報読出し手段は、ドア付近の部屋情報記憶手段が記憶している部屋情報を読み出す
請求項１から請求項９のうちいずれか１項記載の入退室管理システム。
【請求項１１】
部屋の入退室の管理を行う入退室管理方法において、
部屋の出入り口近傍で、入室が許可された部屋を示す部屋情報を記憶する部屋情報記憶手段が記憶している部屋情報を読み出し、
ドアが開状態であるか、または閉状態であるかを検出し、
読み出した部屋情報が示す部屋と、部屋情報を読み出した部屋を示す設置位置情報が示す部屋とが合致すると、部屋の鍵を開錠し、
ドアが閉状態であることを検出すると部屋の鍵を施錠する
ことを特徴とする入退室管理方法。
【請求項１２】
ドアが開状態であることを検出してから、閉状態であることを検出せずに所定の時間が経過すると、異常の発生を報知する
請求項１１記載の入退室管理方法。
【請求項１３】
部屋の出入り口近傍で、部屋情報記憶手段が記憶している部屋情報を読み出し、
ドアが開状態であることを検出してから閉状態であることを検出し、読み出した部屋情報が示す部屋と、部屋情報を読み出した部屋を示す設置位置情報が示す部屋とが合致すると、部屋の鍵を施錠する
請求項１１または請求項１２記載の入退室管理方法。
【請求項１４】
開状態であることを検出してから閉状態であることを検出し、その後、部屋の出入り口近傍で部屋情報を読み出さなかった場合、または読み出した部屋情報が示す部屋と、部屋情報を読み出した部屋を示す設置位置情報が示す部屋とが合致しない場合に、部屋の利用者に、部屋情報記憶手段の所持を確認するように通知する確認通知動作を行う
請求項１３記載の入退室管理方法。
【請求項１５】
確認通知動作を行った後、開状態であることを検出してから、閉状態であることを検出せずに所定の時間が経過すると、異常の発生を報知する
請求項１４記載の入退室管理方法。
【請求項１６】
部屋の出入り口近傍の外壁面に設置され、入室が許可された部屋を示す部屋情報を記憶する部屋情報記憶手段が記憶している部屋情報を読み出す第１の情報読出し手段と、
ドアが開状態であるか、または閉状態であるかを検出するドア状態検出手段とに接続されたコンピュータに、
前記ドア状態検出手段の検出結果と、前記第１の情報読出し手段が読み出した部屋情報とに応じて、部屋の鍵を開錠するのか、または施錠するのかを判断させる判断処理を実行させ、
前記判断処理で、前記第１の情報読出し手段が読み出した部屋情報が示す部屋と、前記第１の情報読出し手段が設置されている部屋とが合致すると、部屋の鍵を開錠すると判断させ、その後、前記ドア状態検出手段が閉状態であることを検出すると、前記部屋の鍵を施錠すると判断させる
ための入退室管理プログラム。
【請求項１７】
コンピュータに、部屋の出入り口近傍の外壁面に設置され、部屋情報記憶手段が記憶している部屋情報を読み出す第２の情報読出し手段が接続され、
判断処理で、ドア状態検出手段が、開状態であることを検出してから閉状態であることを検出し、前記第２の情報読出し手段が読み出した部屋情報が示す部屋と、前記第２の情報読出し手段が設置されている部屋とが合致すると、部屋の鍵を施錠すると判断させる
請求項１６記載の入退室管理プログラム。
【発明の詳細な説明】
【技術分野】
【０００１】
本発明は、ルームキーに付された無線ＩＣタグなどの記憶手段を利用して入退室を管理する入退室管理システム、入退室管理方法、および入退室管理プログラムに関する。
【背景技術】
【０００２】
盗難などの犯罪が増加する一方で検挙率が低下している。また、犯罪の対象は物だけではなく人にも及び、犯罪は、凶悪化、巧妙化している。ホテルや旅館においても状況は同様であり、ホテルや旅館の経営者、および利用者自身が安全を確保する時代になりつつある。
【０００３】
最近では、ホテルや旅館で、客室のドアの開閉にカード型のルームキーが採用されたり、ドアが閉じられると施錠するオートロック機能が採用されたりすることが多くなっている。オートロック機能の採用によって安全性が高まる反面、外出時に客室内にルームキーを置き忘れた宿泊客が、従業員に助けを求めるケースがあり、ホテルや旅館は対応に苦慮し、対策を検討している。
【０００４】
ホテルの客室のルームキーに無線ＩＣタグを添付し、ホテル内のドアや客室内に無線ＩＣタグのリーダを設置する。そして、リーダが無線ＩＣタグを読み取ると、客室の扉が開錠または施錠されるシステムが提案されている（例えば、特許文献１参照。）。
【０００５】
【特許文献１】特開２００３−１３２４３５号公報  （段落０００７〜００３３、図１）
【発明の開示】
【発明が解決しようとする課題】
【０００６】
しかし、特許文献１に記載されているシステムは、客室の広さや構造、リーダの性能に応じて、客室ごとに多数の無線ＩＣタグのリーダを設置しなければならず、コストがかかる。
【０００７】
さらに、客室内の全域において無線ＩＣタグが記憶している情報を読み取るようにリーダが設置されるため、リーダのアンテナの取付け方法や、リーダの電波シールド方法によっては、客室内のリーダが客室外のルームキーの無線ＩＣタグが記憶している情報を読み取る可能性があるという問題がある。
【０００８】
また、宿泊客がルームキーをドアに接近させて開錠した後にドアを開けなかった場合、その後、宿泊客が客室の外にいると開錠状態が継続してしまうという問題がある。
【０００９】
そこで、本発明は、入退室管理を行う部屋のドアの施錠忘れや、オートロック機能によってドアが施錠され、人が入室できなくなることを防止する入退室管理システム、入退室管理方法、および入退室管理プログラムを提供することを目的とする。
【課題を解決するための手段】
【００１０】
本発明による入退室管理システムは、部屋の入退室の管理を行う入退室管理システムであって、部屋の出入り口近傍の外壁面に設置され、入室が許可された部屋を示す部屋情報を記憶する部屋情報記憶手段が記憶している部屋情報を読み出す第１の情報読出し手段と、ドアが開状態であるか、または閉状態であるかを検出するドア状態検出手段と、ドア状態検出手段の検出結果と、第１の情報読出し手段が読み出した部屋情報とに応じて、部屋の鍵を開錠するのか、または施錠するのかを判断する判断手段と、判断手段の判断に従って、部屋の鍵を開錠、または施錠する鍵操作手段とを備え、判断手段は、第１の情報読出し手段が読み出した部屋情報が示す部屋と、第１の情報読出し手段が設置されている部屋とが合致すると、部屋の鍵を開錠すると判断し、その後、ドア状態検出手段が閉状態であることを検出すると、部屋の鍵を施錠すると判断することを特徴とする。
【００１１】
判断手段は、鍵操作手段が部屋の鍵を開錠してから、ドア状態検出手段が開状態であることを検出せずに所定の時間が経過すると、部屋の鍵を施錠すると判断してもよい。
【００１２】
ドア状態検出手段が開状態であることを検出してから、閉状態であることを検出せずに所定の時間が経過すると、異常の発生を報知する報知手段を備えてもよい。
【００１３】
部屋の出入り口近傍の外壁面に設置され、部屋情報記憶手段が記憶している部屋情報を読み出す第２の情報読出し手段を備えてもよく、判断手段は、ドア状態検出手段が、開状態であることを検出してから閉状態であることを検出し、第２の情報読出し手段が読み出した部屋情報が示す部屋と、第２の情報読出し手段が設置されている部屋とが合致すると、部屋の鍵を施錠すると判断してもよい。
【００１４】
ドア状態検出手段が、開状態であることを検出してから閉状態であることを検出し、その後、第２の情報読出し手段が部屋情報を読み出さなかった場合、または第２の情報読出し手段が読み出した部屋情報が示す部屋と、第２の情報読出し手段が設置されている部屋とが合致しない場合に、第２の情報読出し手段が設置されている部屋の利用者に、部屋情報記憶手段の所持を確認するように通知する確認通知動作を実行する確認通知手段を備えてもよい。
【００１５】
判断手段は、確認通知手段が確認通知動作を実行してから、ドア状態検出手段が開状態であることを検出せずに所定の時間が経過すると、部屋の鍵を施錠すると判断してもよい。
【００１６】
判断手段は、確認通知手段が確認通知動作を実行し、ドア状態検出手段が開状態であることを検出してから閉状態であることを検出すると、部屋の鍵を施錠すると判断してもよい。
【００１７】
報知手段は、確認通知手段が確認通知動作を実行し、ドア状態検出手段が開状態であることを検出してから、閉状態であることを検出せずに所定の時間が経過すると、異常の発生を報知してもよい。
【００１８】
第２の情報読出し手段は、部屋の入り口付近の部屋情報記憶手段が記憶している部屋情報を読み出してもよいし、第１の情報読出し手段は、ドア付近の部屋情報記憶手段が記憶している部屋情報を読み出してもよい。
【００１９】
本発明による入退室管理方法は、部屋の入退室の管理を行う入退室管理方法であって、部屋の出入り口近傍で、入室が許可された部屋を示す部屋情報を記憶する部屋情報記憶手段が記憶している部屋情報を読み出し、ドアが開状態であるか、または閉状態であるかを検出し、読み出した部屋情報が示す部屋と、部屋情報を読み出した部屋を示す設置位置情報が示す部屋とが合致すると、部屋の鍵を開錠し、ドアが閉状態であることを検出すると部屋の鍵を施錠することを特徴とする。
【００２０】
ドアが開状態であることを検出してから、閉状態であることを検出せずに所定の時間が経過すると、異常の発生を報知してもよい。
【００２１】
部屋の出入り口近傍で、部屋情報記憶手段が記憶している部屋情報を読み出してもよく、ドアが開状態であることを検出してから閉状態であることを検出し、読み出した部屋情報が示す部屋と、部屋情報を読み出した部屋を示す設置位置情報が示す部屋とが合致すると、部屋の鍵を施錠してもよい。
【００２２】
開状態であることを検出してから閉状態であることを検出し、その後、部屋の出入り口近傍で部屋情報を読み出さなかった場合、または読み出した部屋情報が示す部屋と、部屋情報を読み出した部屋を示す設置位置情報が示す部屋とが合致しない場合に、部屋の利用者に、部屋情報記憶手段の所持を確認するように通知する確認通知動作を行ってもよい。
【００２３】
確認通知動作を行った後、開状態であることを検出してから、閉状態であることを検出せずに所定の時間が経過すると、異常の発生を報知してもよい。
【００２４】
本発明による入退室管理プログラムは、部屋の出入り口近傍の外壁面に設置され、入室が許可された部屋を示す部屋情報を記憶する部屋情報記憶手段が記憶している部屋情報を読み出す第１の情報読出し手段と、ドアが開状態であるか、または閉状態であるかを検出するドア状態検出手段とに接続されたコンピュータに、ドア状態検出手段の検出結果と、第１の情報読出し手段が読み出した部屋情報とに応じて、部屋の鍵を開錠するのか、または施錠するのかを判断させる判断処理を実行させ、判断処理で、第１の情報読出し手段が読み出した部屋情報が示す部屋と、第１の情報読出し手段が設置されている部屋とが合致すると、部屋の鍵を開錠すると判断させ、その後、ドア状態検出手段が閉状態であることを検出すると、部屋の鍵を施錠すると判断させることを特徴とする。
【００２５】
コンピュータに、部屋の出入り口近傍の外壁面に設置され、部屋情報記憶手段が記憶している部屋情報を読み出す第２の情報読出し手段が接続されると、判断処理で、ドア状態検出手段が、開状態であることを検出してから閉状態であることを検出し、第２の情報読出し手段が読み出した部屋情報が示す部屋と、第２の情報読出し手段が設置されている部屋とが合致すると、部屋の鍵を施錠すると判断させてもよい。
【発明の効果】
【００２６】
本発明によれば、部屋情報記憶手段が記憶している部屋情報が示す部屋に入室する際に、自動的に開錠され、入室してドアを閉じると自動的に施錠されるため、入退室管理を行う部屋の入室後の施錠忘れを防ぐことができる。
【００２７】
開錠してから所定の時間が経過してもドアが開かれない場合に、施錠するように構成した場合には、開錠後に何らかの理由で入室しないと自動的に施錠するため、開錠されたまま放置されることを防ぐことができる。
【００２８】
ドアが開かれてから、閉じられずに所定の時間が経過すると、異常の発生を報知するように構成した場合には、ドアが開かれたままで放置されることを防ぐことができる。
【００２９】
ドアが開かれてから閉じられ、部屋情報記憶手段が記憶している部屋情報が示す部屋から退室すると、施錠するように構成した場合には、入退室管理を行う部屋の退室後の施錠忘れを防ぐことができる。
【００３０】
ドアが開かれてから閉じられても、第２の情報読出し手段が部屋情報記憶手段が記憶している部屋情報を読み出さなかったりすると、部屋情報記憶手段の所持を確認するように通知するように構成した場合には、入退室管理を行う部屋の退室時に、部屋情報記憶手段が室内に置き忘れられることを防ぐことができる。
【００３１】
確認通知動作が行われてから、ドアが開かれずに所定の時間が経過すると施錠するように構成した場合には、入退室管理を行う部屋の退室時に、部屋情報記憶手段を所持している他の人が在室している場合、自動的に施錠することができる。
【００３２】
確認通知動作が行われてから、ドアが開かれて閉じられると、施錠するように構成した場合には、部屋情報記憶手段を取りに入室すると、施錠することができる。
【００３３】
確認通知動作が行われ、ドアが開かれてから閉じられずに所定の時間が経過すると、異常の発生を報知するように構成した場合には、ドアが開かれたままで放置されることを防ぐことができる。
【００３４】
第２の情報読出し手段が、部屋の入り口付近の部屋情報記憶手段が記憶している部屋情報を読み出し、第１の情報読出し手段が、ドア付近の部屋情報記憶手段が記憶している部屋情報を読み出すように構成した場合には、入室する際に用いる第１の情報読出し手段と、退室する際に用いる第２の情報読出し手段とで、部屋情報を読み出す範囲に差異を設けることができる。すると、入室する際に用いる第１の情報読出し手段が部屋情報を読み出す範囲を、退室する際に用いる第２の情報読出し手段が部屋情報を読み出す範囲よりも狭くすることができ、第１の情報読出し手段の誤動作によって開錠される可能性を減らすことができる。
【００３５】
また、第１の情報読出し手段と第２の情報読出し手段とを、室外に設置するように構成したため、部屋の大きさや構造に関わらず、２つの情報読出し手段で入退室管理を行うことができる。
【発明を実施するための最良の形態】
【００３６】
実施の形態１．
本発明の第１の実施の形態について、図面を参照して説明する。図１は、本発明の第１の実施の形態の一構成例を示すブロック図である。
【００３７】
本発明の第１の実施の形態は、入退室管理の対象である部屋１を示す部屋情報を含む情報を記憶する無線ＩＣタグ（部屋情報記憶手段）７を内蔵したルームキー６、部屋１のドア８の室外側に設置され、無線ＩＣタグ７が記憶している情報を読み出すドア側リーダ（第１の情報読出し手段）２、部屋１の室外の壁面に設置され、無線ＩＣタグ７が記憶している部屋情報を読み出す壁面リーダ（第２の情報読出し手段）３、部屋１の室外に設置され、音声を出力するスピーカ（報知手段、確認通知手段）４、ドア８が開状態であるか、または閉状態であるかを検出するドア状態検出部（ドア状態検出手段）９、ドア８の鍵を施錠または開錠するキー操作部（鍵操作手段）１０、および各部を制御する制御部（判断手段）５を含む。
【００３８】
なお、ドア８は、オートロック機能を有する。具体的には、ドア８は、閉状態になると鍵が自動的に施錠される。また、ドア８の室内側のドアノブ（図示せず）が、ドア８が開状態になるように操作されると、室内側のドアノブの操作に連動して鍵が開錠され、その後、ドア８が閉状態になると、鍵が自動的に施錠される。
【００３９】
無線ＩＣタグ７は、例えば、ＲＦＩＤ（Ｒａｄｉｏ  Ｆｒｅｑｕｅｎｃｙ  ＩＤｅｎｔｉｆｉｃａｔｉｏｎ）タグによって実現され、ドア側リーダ２、および壁面リーダ３と無線通信で情報を送受信する。図２は、無線ＩＣタグ７が記憶している情報の例を示す説明図である。なお、無線ＩＣタグ７は、電源を内蔵するアクティブタグであってもよいし、リーダまたはライタから受信した電波で駆動するパッシブタグであってもよいし、電源を内蔵し、リーダまたはライタから電波を受信すると起動するセミパッシブタグであってもよい。すなわち、情報を記憶し、記憶している情報を無線通信で送信することができるデバイスであればよい。
【００４０】
ドア側リーダ２は、制御部５に接続され、所定の領域内のルームキー６に内蔵された無線ＩＣタグ７が記憶している情報を無線で読み出す。そして、ドア側リーダ２は、読み出した情報と、設置されている部屋を示す設置位置情報とを制御部５に送信する。なお、ドア側リーダ２は、部屋１のドア８の室外側に設置され、ドア８の室外側の近傍にあるルームキー６に内蔵された無線ＩＣタグ７が記憶している情報を読み出す。図３は、ドア側リーダ２が無線ＩＣタグ７が記憶している情報を読み出す領域を示す説明図であり、図３（ａ）は部屋１の上方から見た図であり、図３（ｂ）は部屋１の側面から見た図である。なお、図３に示す例では、ドア側リーダ２は、ドア８の室外側に設置されているが、本発明はこれに限定されるものではなく、例えば、ドア８の近傍の部屋１の室外側壁面等、利用者が操作しやすい位置に設置されてもよい。
【００４１】
壁面リーダ３は、制御部５に接続され、所定の領域内のルームキー６に内蔵された無線ＩＣタグ７が記憶している情報を無線で読み出す。そして、壁面リーダ３は、読み出した情報と、設置されている部屋を示す設置位置情報とを制御部５に送信する。なお、壁面リーダ３は、部屋１の入り口付近の室外にあるルームキー６に内蔵された無線ＩＣタグ７が記憶している情報を読み出すように設置される。具体的には、例えば、部屋１の入り口の上部に、斜め下向きに設置される。図４は、壁面リーダ３が無線ＩＣタグ７が記憶している情報を読み出す領域を示す説明図であり、図４（ａ）は部屋１の上方から見た図であり、図４（ｂ）は部屋１の側面から見た図である。なお、図４に示す例では、壁面リーダ３は、部屋１の入り口の上部の壁面に設置されているが、本発明はこれに限定されるものではなく、例えば、部屋１の入り口付近の廊下の天井等に設置されてもよい。
【００４２】
なお、図３および図４に例示したように、壁面リーダ３が無線ＩＣタグ７が記憶している情報を読み出す領域は、ドア側リーダ２が無線ＩＣタグ７が記憶している情報を読み出す領域よりも広くなっている。
【００４３】
無線ＩＣタグ７が発信する電波には一般に指向性がある。電波の周波数が高いとより直進性が高くなり、周波数が低いと直進性が低くなる。そのため、使用する電波の周波数が低いと、電波が回り込んだり、周辺の構造物等に反射したりして、ドア側リーダ２および壁面リーダ３が、所定の領域外にある無線ＩＣタグ７が記憶している情報を読み出すおそれがある。そのため、ドア側リーダ２および壁面リーダ３の前面以外には電波吸収材などが設置されることが好ましく、ドア側リーダ２および壁面リーダ３は、背面にある無線ＩＣタグ７が記憶している情報を読み出さないものとする。
【００４４】
スピーカ４は、部屋１の室外側のドア８の上部に設置され、制御部５に接続されて、音声を出力する。ドア状態検出部９は、ドア８が開状態であるか、または閉状態であるかを検出し、検出した結果を制御部５に送信する。キー操作部１０は、制御部５の制御に従って、ドア８の鍵を施錠または開錠する。
【００４５】
制御部５は、例えば、プログラム制御によって処理を実行するパーソナルコンピュータによって実現される。
【００４６】
制御部５を実現するパーソナルコンピュータは、ドア状態検出部９の検出結果と、ドア側リーダ２が読み出した部屋情報とに応じて、部屋の鍵を開錠するのか、または施錠するのかを判断させる判断処理を実行させ、判断処理で、ドア側リーダ２が読み出した部屋情報が示す部屋と、ドア側リーダ２が設置されている部屋とが合致すると、部屋の鍵を開錠すると判断させ、その後、ドア状態検出部９が閉状態であることを検出すると、部屋の鍵を施錠すると判断させ、ドア状態検出部９が、開状態であることを検出してから閉状態であることを検出し、壁面リーダ３が読み出した部屋情報が示す部屋と、壁面リーダ３が設置されている部屋とが合致すると、部屋の鍵を施錠すると判断させることを特徴とする入退室管理プログラムを搭載している。
【００４７】
次に、本発明の第１の実施の形態の動作について図面を参照して説明する。まず、ルームキー６を所持した部屋１の利用者が、施錠されている部屋１に入室する場合の動作について説明する。図５は、ルームキー６を所持した部屋１の利用者が、施錠されている部屋１に入室する場合を説明する説明図である。図６は、第１の実施の形態において、ルームキー６を所持した部屋１の利用者が、施錠されている部屋１に入室する場合の動作を説明するフローチャートである。
【００４８】
ルームキー６を所持した部屋１の利用者が、ドア８が閉状態で施錠状態の部屋１に近づき、所定の領域内に入ると、ドア側リーダ２は、ルームキー６に内蔵された無線ＩＣタグ７の存在を検出し（ステップＳ１０１）、無線ＩＣタグ７が記憶している部屋情報を読み出す（ステップＳ１０２）。
【００４９】
ドア側リーダ２は、読み出した部屋情報と設置位置情報とを制御部５に送信する。制御部５は、部屋情報が示す部屋と、設置位置情報が示す部屋とが合致するか否かを判断する（ステップＳ１０３）。
【００５０】
制御部５は、合致すると判断すると、キー操作部１０に、ドア８の鍵を開錠させる（ステップＳ１０４）。制御部５は、所定の時間が経過してもドア状態検出部９がドア８が開状態になったことを検出しないと（ステップＳ１０５、Ｓ１０６）、キー操作部１０に、ドア８の鍵を施錠させる（ステップＳ１０７）。
【００５１】
制御部５は、所定の時間内にドア状態検出部９がドア８が開状態になったことを検出し、その後、所定の時間内にドア状態検出部９がドア８が閉状態になったことを検出しないと（ステップＳ１０８、Ｓ１０９）、スピーカ４に警報音を発生させる（ステップＳ１１０）。
【００５２】
制御部５は、所定の時間内にドア状態検出部９がドア８が開状態になったことを検出し、その後、所定の時間内にドア状態検出部９がドア８が閉状態になったことを検出すると（ステップＳ１０５、Ｓ１０８）、キー操作部１０に、ドア８の鍵を施錠させる（ステップＳ１０７）。
【００５３】
次に、部屋１に在室している部屋１の利用者が、施錠されている部屋１から退出する場合の動作について説明する。図７は、ルームキー６を所持した部屋１の利用者が、施錠されている部屋１から退室する場合を説明する説明図である。図８は、第１の実施の形態において、部屋１に在室している部屋１の利用者が、施錠されている部屋１から退室する場合の動作を説明するフローチャートである。
【００５４】
部屋１に在室している部屋１の利用者が、部屋１から退出するために、ドア８の室内側のドアノブを操作すると、ドア８の鍵は、ドアノブの操作に連動して開錠される。そして、部屋１に在室している部屋１の利用者が、ドア８を開状態にすると、ドア状態検出部９は、ドア８が開状態であることを検出し（ステップＳ２０１）、ドア８が開状態であることを示す情報を制御部５に送信する。
【００５５】
すると、制御部５は、キー操作部１０に、ドア８の鍵を開錠状態で固定させる（ステップＳ２０２）。そして、部屋１に在室している部屋１の利用者が部屋１から退出して、ドア８を閉状態にし、ドア状態検出部９が、ドア８が閉状態であることを検出すると（ステップＳ２０３）、ドア８が閉状態であることを示す情報を制御部５に送信する。
【００５６】
すると、制御部５は、スピーカ４を介して部屋１の利用者に、ドア８の鍵が施錠されるまでドア８の近傍で待機するように指示する（ステップＳ２０４）。具体的には、スピーカ４は、例えば、「ドアがロックされるまで、ドア近くでお待ちください。」等のメッセージを出力する。
【００５７】
壁面リーダ３が、ルームキー６に内蔵された無線ＩＣタグ７の存在を検出し（ステップＳ２０５）、無線ＩＣタグ７が記憶している部屋情報を読み出すと（ステップＳ２０６）、読み出した部屋情報と設置位置情報とを制御部５に送信する。制御部５は、部屋情報が示す部屋と、設置位置情報が示す部屋とが合致するか否かを判断する（ステップＳ２０７）。
【００５８】
制御部５は、合致すると判断すると、キー操作部１０に、ドア８の鍵を施錠させる（ステップＳ２０８）。そして、制御部５は、スピーカ４を介して部屋１の利用者に、ドア８の鍵が施錠されたことを通知する（ステップＳ２０９）。具体的には、スピーカ４は、例えば、「ドアがロックされました。」等のメッセージを出力する。
【００５９】
制御部５は、ドア８が閉状態であることを示す情報を受信してから部屋情報と設置位置情報とを受信しなかったり、受信した部屋情報が示す部屋と、設置位置情報が示す部屋とが合致しなかったりすると（ステップＳ２０５、Ｓ２０７）、スピーカ４を介して部屋１の利用者に、ルームキー６の所持の確認を促す（ステップＳ２１０）。具体的には、スピーカ４は、例えば、「ルームキーを部屋に忘れていませんか。」等のメッセージを出力する。
【００６０】
そして、部屋１の利用者が部屋１内にルームキー６を取りに入る等のためにドア８を開状態にすると、ドア状態検出部９は、ドア８が開状態であることを検出し（ステップＳ２１１）、ドア８が開状態であることを示す情報を制御部５に送信する。
【００６１】
なお、制御部５は、所定の時間が経過してもドア状態検出部９からドア８が開状態になったことを示す情報を受信しないと（ステップＳ２１２）、スピーカ４の鳴動を停止させて（ステップＳ２１３）、キー操作部１０に、ドア８の鍵を施錠させる（ステップＳ２０８）。そして、制御部５は、スピーカ４を介して部屋１の利用者に、ドア８の鍵が施錠されたことを通知する（ステップＳ２０９）。具体的には、スピーカ４は、例えば、「ドアがロックされました。」等のメッセージを出力する。
【００６２】
そして、部屋１の利用者が部屋１内にルームキー６を取りに入り、ドア８を閉状態にすると、ドア状態検出部９は、ドア８が閉状態であることを検出し（ステップＳ２１４）、ドア８が閉状態であることを示す情報を制御部５に送信する。
【００６３】
なお、制御部５は、所定の時間が経過してもドア状態検出部９からドア８が閉状態になったことを示す情報を受信しないと（ステップＳ２１５）、スピーカ４の鳴動を停止させる（ステップＳ２１６）。そして、制御部５は、警報音を発生させる（ステップＳ２１７）。
【００６４】
制御部５は、ドア８が閉状態であることを示す情報を受信すると（ステップＳ２１４）、スピーカ４の鳴動を停止させ（ステップＳ２１３）、キー操作部１０に、ドア８の鍵を施錠させる（ステップＳ２０８）。そして、制御部５は、スピーカ４を介して部屋１の利用者に、ドア８の鍵が施錠されたことを通知する（ステップＳ２０９）。具体的には、スピーカ４は、例えば、「ドアがロックされました。」等のメッセージを出力する。
【００６５】
以上に述べたように、この実施の形態によれば、無線ＩＣタグ７を内蔵したルームキー６を使用することにより、ルームキー６が、部屋１の室内に置き忘れられることを防止することができる。
【００６６】
無線ＩＣタグ７が記憶している情報を読み出すリーダを、部屋１の室外に設置し、部屋１の室内には設置しないように構成したため、リーダを設置する数は部屋１の広さや構造に依存せず、リーダを設置する数を少なくすることができ、リーダの故障等の障害の発生件数を削減し、経費を節減することができる。
【００６７】
無線ＩＣタグ７が記憶している情報を読み出すリーダは、１つの部屋に対してドア８と部屋１の室外側の壁面との２ヶ所だけに設置されるので、各リーダが部屋１内の無線ＩＣタグ７を誤って読み出す可能性が低く、信頼性を高くすることができる。
【００６８】
また、１つの部屋に複数の利用者が存在する場合にも適用可能なため、このシステムの適用範囲が広いという効果がある。
【００６９】
実施の形態２．
本発明の第２の実施の形態について、図面を参照して説明する。図９は、本発明の第２の実施の形態の一構成例を示すブロック図である。
【００７０】
本発明の第２の実施の形態は、第１の実施の形態の構成に、ドア側リーダ２、壁面リーダ３、スピーカ４、ドア状態検出部９、およびキー操作部１０に接続され、ドア側リーダ２、壁面リーダ３、およびドア状態検出部９の検出結果に応じて、スピーカ４およびキー操作部１０を制御する管理室サーバ３１と、部屋１の利用者の情報を記憶するデータベース３２と、管理室３０で待機している警備員に異常を通知する管理室端末（報知手段）３３と、無線ＩＣタグ７に記憶させる情報を入力する情報入力端末２３と、無線ＩＣタグ７に情報を記憶させるリーダライタ２４とを加えた構成である。
【００７１】
すなわち、管理室サーバ３１は、第１の実施の形態における制御部５の機能を含む。なお、管理室サーバ３１は、例えば、入退室管理プログラムを搭載し、プログラム制御によって処理を実行するサーバによって実現される。また、管理室端末３３および情報入力端末２３は、例えば、プログラム制御によって処理を実行するパーソナルコンピュータによって実現される。
【００７２】
部屋１の利用者は、情報入力端末２３を操作する管理者に、部屋１を利用することを申し出る。すると、情報入力端末２３は、管理者の操作に従って、リーダライタ２４を介してルームキー６が内蔵する無線ＩＣタグ７に、部屋１を示す部屋情報を含む情報を記憶させる。なお、情報入力端末２３がリーダライタ２４を介して無線ＩＣタグ７に記憶させる情報は、部屋情報や、利用者を示す顧客情報等である。
【００７３】
次に、本発明の第２の実施の形態の動作について図面を参照して説明する。まず、図５に示した例のように、ルームキー６を所持した部屋１の利用者が、施錠されている部屋１に入室する場合の動作について説明する。図１０は、第２の実施の形態において、ルームキー６を所持した部屋１の利用者が、施錠されている部屋１に入室する場合の動作を説明するフローチャートである。
【００７４】
ルームキー６を所持した部屋１の利用者が、ドア８が閉状態で施錠状態の部屋１に近づき、所定の領域内に入ると、ドア側リーダ２は、ルームキー６に内蔵された無線ＩＣタグ７の存在を検出し（ステップＳ３０１）、無線ＩＣタグ７が記憶している部屋情報を読み出す（ステップＳ３０２）。
【００７５】
ドア側リーダ２は、読み出した部屋情報と設置位置情報とを管理室サーバ３１に送信する。管理室サーバ３１は、部屋情報が示す部屋と、設置位置情報が示す部屋とが合致するか否かを判断する（ステップＳ３０３）。
【００７６】
管理室サーバ３１は、合致すると判断すると、キー操作部１０に、ドア８の鍵を開錠させる（ステップＳ３０４）。管理室サーバ３１は、所定の時間が経過してもドア状態検出部９がドア８が開状態になったことを検出しないと（ステップＳ３０５、Ｓ３０６）、キー操作部１０に、ドア８の鍵を施錠させる（ステップＳ３０７）。
【００７７】
管理室サーバ３１は、所定の時間内にドア状態検出部９がドア８が開状態になったことを検出し、その後、所定の時間内にドア状態検出部９がドア８が閉状態になったことを検出しないと（ステップＳ３０８、Ｓ３０９）、管理室端末３３の表示部（図示せず）にドア８が開状態になっていることを表示させ、管理室３０で待機している警備員に異常を通知する（ステップＳ３１０）。
【００７８】
管理室サーバ３１は、所定の時間内にドア状態検出部９がドア８が開状態になったことを検出し、その後、所定の時間内にドア状態検出部９がドア８が閉状態になったことを検出すると（ステップＳ３０５、Ｓ３０８）、キー操作部１０に、ドア８の鍵を施錠させる（ステップＳ３０７）。
【００７９】
次に、部屋１に在室している部屋１の利用者が、施錠されている部屋１から退出する場合の動作について説明する。図７に示した例のように、ルームキー６を所持した部屋１の利用者が、施錠されている部屋１から退室する場合について説明する。図１１は、第２の実施の形態において、部屋１に在室している部屋１の利用者が、施錠されている部屋１から退室する場合の動作を説明するフローチャートである。
【００８０】
部屋１に在室している部屋１の利用者が、部屋１から退出するために、ドア８の室内側のドアノブを操作すると、ドア８の鍵は、ドアノブの操作に連動して開錠される。そして、部屋１に在室している部屋１の利用者が、ドア８を開状態にすると、ドア状態検出部９は、ドア８が開状態であることを検出し（ステップＳ４０１）、ドア８が開状態であることを示す情報を管理室サーバ３１に送信する。
【００８１】
すると、管理室サーバ３１は、キー操作部１０に、ドア８の鍵を開錠状態で固定させる（ステップＳ４０２）。そして、部屋１に在室している部屋１の利用者が部屋１から退出して、ドア８を閉状態にし、ドア状態検出部９が、ドア８が閉状態であることを検出すると（ステップＳ４０３）、ドア８が閉状態であることを示す情報を管理室サーバ３１に送信する。
【００８２】
すると、管理室サーバ３１は、スピーカ４を介して部屋１の利用者に、ドア８の鍵が施錠されるまでドア８の近傍で待機するように指示する（ステップＳ４０４）。具体的には、スピーカ４は、例えば、「ドアがロックされるまで、ドア近くでお待ちください。」等のメッセージを出力する。
【００８３】
壁面リーダ３が、ルームキー６に内蔵された無線ＩＣタグ７の存在を検出し（ステップＳ４０５）、無線ＩＣタグ７が記憶している部屋情報を読み出すと（ステップＳ４０６）、読み出した部屋情報と設置位置情報とを管理室サーバ３１に送信する。管理室サーバ３１は、部屋情報が示す部屋と、設置位置情報が示す部屋とが合致するか否かを判断する（ステップＳ４０７）。
【００８４】
管理室サーバ３１は、合致すると判断すると、キー操作部１０に、ドア８の鍵を施錠させる（ステップＳ４０８）。そして、管理室サーバ３１は、スピーカ４を介して部屋１の利用者に、ドア８の鍵が施錠されたことを通知する（ステップＳ４０９）。具体的には、スピーカ４は、例えば、「ドアがロックされました。」等のメッセージを出力する。
【００８５】
管理室サーバ３１は、ドア８が閉状態であることを示す情報を受信してから部屋情報と設置位置情報とを受信しなかったり、受信した部屋情報が示す部屋と設置位置情報が示す部屋とが合致しなかったりすると（ステップＳ４０５、Ｓ４０７）、スピーカ４を介して部屋１の利用者に、ルームキー６の所持の確認を促す（ステップＳ４１０）。具体的には、スピーカ４は、例えば、「ルームキーを部屋に忘れていませんか。」等のメッセージを出力する。
【００８６】
そして、部屋１の利用者が部屋１内にルームキー６を取りに入る等のためにドア８を開状態にすると、ドア状態検出部９は、ドア８が開状態であることを検出し（ステップＳ４１１）、ドア８が開状態であることを示す情報を管理室サーバ３１に送信する。
【００８７】
なお、管理室サーバ３１は、所定の時間が経過してもドア状態検出部９からドア８が開状態になったことを示す情報を受信しないと（ステップＳ４１２）、スピーカ４の鳴動を停止させて（ステップＳ４１３）、キー操作部１０に、ドア８の鍵を施錠させる（ステップＳ４０８）。そして、管理室サーバ３１は、スピーカ４を介して部屋１の利用者に、ドア８の鍵が施錠されたことを通知する（ステップＳ４０９）。具体的には、スピーカ４は、例えば、「ドアがロックされました。」等のメッセージを出力する。
【００８８】
そして、部屋１の利用者が部屋１内にルームキー６を取りに入り、ドア８を閉状態にすると、ドア状態検出部９は、ドア８が閉状態であることを検出し（ステップＳ４１４）、ドア８が閉状態であることを示す情報を管理室サーバ３１に送信する。
【００８９】
なお、管理室サーバ３１は、所定の時間が経過してもドア状態検出部９からドア８が閉状態になったことを示す情報を受信しないと（ステップＳ４１５）、スピーカ４の鳴動を停止させる（ステップＳ４１６）。そして、管理室サーバ３１は、管理室端末３３の表示部（図示せず）にドア８が開状態になっていることを表示させ、管理室３０で待機している警備員に異常を通知する（ステップＳ４１７）。
【００９０】
管理室サーバ３１は、ドア８が閉状態であることを示す情報を受信すると（ステップＳ４１４）、スピーカ４の鳴動を停止させ（ステップＳ４１３）、キー操作部１０に、ドア８の鍵を施錠させる（ステップＳ４０８）。そして、管理室サーバ３１は、スピーカ４を介して部屋１の利用者に、ドア８の鍵が施錠されたことを通知する（ステップＳ４０９）。具体的には、スピーカ４は、例えば、「ドアがロックされました。」等のメッセージを出力する。
【００９１】
以上に述べたように、この実施の形態によれば、第１の実施の形態の効果に加え、ドア８が所定の時間以上開状態から閉状態に遷移しない場合、管理室３０で待機している警備員に異常を通知することができるという効果がある。
【００９２】
なお、以上に述べた各実施の形態で、スピーカ４が音声で情報を出力するが、本発明はこれに限定されるものではなく、例えば、電光掲示板等の表示手段に情報を表示させてもよい。
【００９３】
また、無線ＩＣタグ７に、ルームキー６を所持する利用者を示す情報を記憶させ、部屋１を含む建物内の他の部屋に、無線ＩＣタグ７が記憶している利用者を示す情報を読み取るリーダを設置してもよい。そして、利用者を示す情報を読み取ったリーダは、読み取った情報を管理室サーバ３１に送信し、管理室サーバ３１は、受信した情報をデータベース３２に記憶させてもよい。すると、利用者がどこにいるのかを把握することができ、災害発生時等の対応に活用することができる。
【００９４】
さらに、レストランや売店等のＰＯＳ（Ｐｏｉｎｔ  Ｏｆ  Ｓａｌｅｓ）端末に、無線ＩＣタグ７に支払情報を記憶させるリーダライタを接続させると、利用者にレストランや売店等で支払うべき料金を後払いさせることができる。
【産業上の利用可能性】
【００９５】
本発明は、ホテルや旅館等の客室の入退室管理に利用することができる。また、研究機関や企業における重要書類や重要機器を収容した部屋への入退室管理にも利用することができる。さらに、大学等の学生証に無線ＩＣタグを内蔵させて、金品や、重要書類を収容する研究室等の入退室管理に利用することができる。
【図面の簡単な説明】
【００９６】
【図１】本発明の第１の実施の形態の一構成例を示すブロック図である。
【図２】無線ＩＣタグが記憶している情報の例を示す説明図である。
【図３】ドア側リーダが無線ＩＣタグが記憶している情報を読み出す領域を示す説明図である。
【図４】壁面リーダが無線ＩＣタグが記憶している情報を読み出す領域を示す説明図である。
【図５】ルームキーを所持した部屋の利用者が、施錠されている部屋に入室する場合を説明する説明図である。
【図６】第１の実施の形態において、ルームキーを所持した部屋の利用者が、施錠されている部屋に入室する場合の動作を説明するフローチャートである。
【図７】ルームキーを所持した部屋の利用者が、施錠されている部屋から退室する場合を説明する説明図である。
【図８】第１の実施の形態において、部屋に在室している部屋の利用者が、施錠されている部屋から退室する場合の動作を説明するフローチャートである。
【図９】本発明の第２の実施の形態の一構成例を示すブロック図である。
【図１０】第２の実施の形態において、ルームキーを所持した部屋の利用者が、施錠されている部屋に入室する場合の動作を説明するフローチャートである。
【図１１】第２の実施の形態において、部屋に在室している部屋の利用者が、施錠されている部屋から退室する場合の動作を説明するフローチャートである。
【符号の説明】
【００９７】
１    部屋
２    ドア側リーダ
３    壁面リーダ
４    スピーカ
５    制御部
６    ルームキー
７    無線ＩＣタグ
８    ドア
９    ドア状態検出部
１０  キー操作部
２３  情報入力端末
２４  リーダライタ
３０  管理室
３１  管理室サーバ
３２  データベース
３３  管理室端末
【図１】
2006283296.tif 000003
【図２】
2006283296.tif 000004
【図３】
2006283296.tif 000005
【図４】
2006283296.tif 000006
【図５】
2006283296.tif 000007
【図６】
2006283296.tif 000008
【図７】
2006283296.tif 000009
【図８】
2006283296.tif 000010
【図９】
2006283296.tif 000011
【図１０】
2006283296.tif 000012
【図１１】
2006283296.tif 000013